(57)【要約】【課題】ゴミ袋を開口した状態に保持して、簡易にゴミ箱として利用できるゴミ袋保持装置において、誰でも容易に、かつ確実にゴミ袋を取り付け、係止させることができ、良好な係止状態を維持できるゴミ袋保持装置を提供すること。【解決手段】ゴミ袋を上方に開口した状態で保持するゴミ袋保持装置であって、少なくとも上方に開口部を有し該開口部より内部にゴミ袋を収納する本体部と、該本体部の上端縁に複数設けられゴミ袋を引っ掛けて保持する引掛部とを備え、該引掛部は、前記本体部の上端縁から上方に延びる基部と、該基部の先端から水平方向に延びる腕部からなる略逆Ｌ字形状を有しており、前記引掛部は、水平方向に回動自在とした。【選択図】  図１
2010275070.tif 000002
【特許請求の範囲】
【請求項１】
ゴミ袋を上方に開口した状態で保持するゴミ袋保持装置であって、
少なくとも上方に開口部を有し該開口部より内部にゴミ袋を収納する本体部と、
該本体部の上端縁に複数設けられゴミ袋を引っ掛けて保持する引掛部とを備え、
該引掛部は、前記本体部の上端縁から上方に延びる基部と、該基部の先端から水平方向に延びる腕部からなる略逆Ｌ字形状を有しており、
前記引掛部は、水平方向に回動自在としたことを特徴とするゴミ袋保持装置。
【請求項２】
本体部は、複数のパイプ部材と、パイプ部材同士を連結するジョイント部材とにより組み立てられて形成されるものであることを特徴とする請求項１記載のゴミ袋保持装置。
【発明の詳細な説明】
【技術分野】
【０００１】
本発明は、ゴミ袋を開口した状態に保持してゴミを投入しやすいようにするためのゴミ袋保持装置に関するものである。
【背景技術】
【０００２】
従来から、ゴミ袋を、上方に開口させた状態で保持し、ゴミ箱として利用できるようにした様々なゴミ袋保持装置が提案されている。これらの多くは、容易にゴミ袋等を保持させることができるものであり、簡易なゴミ箱として有用である。
【０００３】
このようなゴミ袋保持装置として、例えば、ベース部材と、ベース部材から立設される複数の脚部材と、脚部材の上端部に設けられゴミ袋の開口を保持するための保持枠とを備えたゴミ袋の支持スタンドにおいて、上記保持枠を後枠部材，前枠部材，一対の側枠部材の４つの枠部材で形成し、少なくとも上記ベース部材の前後に前脚部材及び後脚部材を設け、上記前脚部材に上記前枠部材を設け、上記後脚部材に上記後枠部材を設け、上記側枠部材の一端を上記後枠部材側に回動自在に支持するとともに、該側枠部材の他端を上記前枠部材に係脱可能に支持し、上記前脚部材を上記ベース部材に対して傾動可能に設けたものがある（特許文献１）。
確かに、このようなゴミ袋保持装置によれば、ゴミ袋の開口を保持枠に保持させて、ゴミを入れ易くすることができる。
【先行技術文献】
【特許文献】
【０００４】
【特許文献１】登録実用新案第３１１４４０７号公報
【発明の概要】
【発明が解決しようとする課題】
【０００５】
しかしながら、上記従来のゴミ袋保持装置においては、保持枠や側枠部材に対してゴミ袋を係止するために、洗濯バサミなどを用いて留めなければならない。それゆえ、洗濯バサミなどの留め具を別途容易しなければならないのみならず、ゴミ袋を係止させる作業が非常に面倒である。また、当該ゴミ袋の係止状態は、各人の留め方や用いる留め具によって異なるため一定せず、良好な係止状態が期待できるものではなかった。
【０００６】
本発明は、上記のような課題を克服するためになされたものであり、誰でも容易に、かつ確実にゴミ袋を取り付け、係止させることができ、良好な係止状態を維持できるゴミ袋保持装置を提供することを目的とする。
【課題を解決するための手段】
【０００７】
上記の課題を解決するため、本発明に係るゴミ袋保持装置は、ゴミ袋を上方に開口した状態で保持するゴミ袋保持装置であって、少なくとも上方に開口部を有し該開口部より内部にゴミ袋を収納する本体部と、該本体部の上端縁に複数設けられゴミ袋を引っ掛けて保持する引掛部とを備え、該引掛部は、前記本体部の上端縁から上方に延びる基部と、該基部の先端から水平方向に延びる腕部からなる略逆Ｌ字形状を有しており、前記引掛部は、水平方向に回動自在としたことを特徴とする。
【０００８】
本発明に係るゴミ袋保持装置によれば、引掛部を水平方向に回動させて全ての引掛部の腕部の先端が内側へ向くようにしたのち、本体部の開口部から本体内へゴミ袋を挿入して、引掛部にゴミ袋を開口した状態で引っ掛ける。次に、前記腕部を再度水平方向に回動させて腕部の先端が全て外側へ向くようにすることで、ゴミ袋の開口縁部がピンと張った状態で引掛部に係止される。
【０００９】
また、本発明に係るゴミ袋保持装置においては、本体部は、複数のパイプ部材と、パイプ部材同士を連結するジョイント部材とにより組み立てられて形成されるようにするのが好ましい。このようにすれば、軽量なゴミ袋保持装置を実現でき、またパイプの長さを変えて組み立てるだけで様々な大きさ、形状のゴミ袋保持装置を提供することが可能となる。
【発明の効果】
【００１０】
以上のとおり、本発明に係るゴミ袋保持装置によれば、引掛部にゴミ袋を引っ掛けて、当該引掛部を回動させるだけで容易に、かつ確実にゴミ袋をゴミ袋保持装置に係止させることができる。
【図面の簡単な説明】
【００１１】
【図１】本発明に係るゴミ袋保持装置の一実施形態の概略を示す斜視図であり、引掛部の腕部の先端が全て内側へ向けられた状態を示す図である。
【図２】図１のゴミ袋保持装置において、引掛部の腕部の先端が全て外側方向へ向けられた状態を示す図である。
【図３】図１のゴミ袋保持装置の本体内にゴミ袋を挿入した状態（引掛部の先端が全て内側へ向けられた状態）を示す説明図である。
【図４】図３のゴミ袋保持装置における引掛部の腕部の先端を全て外側方向へ向けた状態を示す説明図である。
【図５】本発明に係るゴミ袋保持装置の一実施形態を示す正面図である。
【図６】本発明に係るゴミ袋保持装置の一実施形態を示す側面図である。
【図７】本発明に係るゴミ袋保持装置の一実施形態を示す平面図である。
【図８】図６において一点鎖線Ｘで示された範囲の部分断面図である。
【発明を実施するための形態】
【００１２】
以下、本発明を実施するための形態を、図面に基づいて詳細に説明する。
【００１３】
図１は、本発明に係るゴミ袋保持装置の一実施形態の概略を示す図である。この形態におけるゴミ袋保持装置１は、複数のパイプ部材３１、３２、３３、４１、４２、５１とそれらを連結するジョイント部材３５、３６、４５、４６とから構成される本体部２と、本体部２の上端部に設けられた４つの引掛部６とにより構成されている。
【００１４】
本体部２は、パイプ部材３１、３２とそれらを接続するジョイント部材３５、３６とで略矩形状を形成すると共に２本のパイプ３２間をパイプ部材３３とジョイント部材３７とにより接続して構成した下枠３と、パイプ部材４１、４２とそれらを接続するジョイント部材４５、４６とによりコの字型状とした上枠４と、下枠３と上枠４とを接続する２本の支柱５１（パイプ部材５１）とにより構成されている。尚、各パイプ部材は、管状に成型したアルミ型材の表面を樹脂材料で被覆したものであり、また、各ジョイント部材は、樹脂材料で成型したものであるが、必要に応じて金属、合成樹脂等、任意の材料を利用することができる。
【００１５】
上枠４の４角にあるジョイント部４５、４６には、引掛部６が水平方向に３６０度回動自在に取り付けられている。この引掛部６は、ジョイント部４５、４６から上方に延びる基部６１と、基部６１の先端から水平方向に伸びる腕部６２とからなる略逆L字形状をなしていて、腕部２２の先端には、滑り止めのゴム部材６２１が取り付けられている。尚、図１は、腕部２２の先端を全て内側に向けた状態を示しており、図２は、腕部２２の先端の全てを外側に向けた状態を示している。さらに、本体部２の下端には、４つのキャスター７が設けられており、床面を容易に移動させることが出来るようになっている。
【００１６】
このゴミ袋保持装置１は、本体部２内に形成された空間部にゴミ袋Ｆを挿入し、ゴミ袋Ｆを開口した状態で保持するものである。このとき、ゴミ袋Ｆの開口部近傍を、ゴミ袋保持装置１に設けられた引掛部６に引っ掛けて保持させる。このときの様子を図３および図４に示す。
【００１７】
図３は、図１と同じくゴミ袋保持装置１の引掛部６の先端を全て内側に向けた状態において、ゴミ袋Ｆを開口した状態で本体部２内に挿入し、ゴミ袋Ｆの開口部付近を引掛部６に引っ掛けて係止した状態を示している。この状態では、隣接する引掛部６間に差し渡されているゴミ袋Ｆの上端部は弛んでおり、この状態で多くのゴミを入れると、その重量でゴミ袋Ｆは引掛部６から抜け落ちてしまう。
【００１８】
そこで、図３のようにゴミ袋１を引掛部６に係止させたのち、隣接する引掛部６間に差し渡されているゴミ袋Ｆの上端部の弛みがなくなりピンと張るように、全ての引掛部６を水平方向に回動させる。図４は、そのようにして、全ての引掛部６の先端を外側方向に向け、隣接する引掛部６間に差し渡されているゴミ袋Ｆの上端部の弛みがなくなりピンと張るようにした状態を示している。さらに、この実施形態においては、引掛部６の先端にはゴム部材６２１を備えるようにしている。これによって、多くのゴミを入れても容易にゴミ袋Ｆが引掛部６から脱落せず、確実にゴミ袋Ｆの保持を維持することが可能となっている。
【００１９】
図５乃至８は、この実施形態におけるゴミ袋保持装置１のより詳細な図面を示しており、図５はその正面図、図６は側面図、図７は平面図であり、また図８は、図６における一点鎖線で示した範囲Ｘの部分断面図である。
【００２０】
図５乃至７（および図１乃至４）に示すとおり、この実施形態においては、上枠４の前面側には横桟となるパイプ部材が設けられていない。これにより、ゴミで一杯になり重たくなったゴミ袋Ｆを前方方向に取り出すことができる。また、下枠３の矩形部内には、パイプ部材３３が差し渡されており、ゴミで一杯になり重たくなったゴミ袋Ｆの重量を下方から支持することができるようになされている。このパイプ部材は、１本しか設けられていないが、複数本設けてもよいし、あるいは例えば十字型に配するようにしてもよい。
【００２１】
図８は、上述のとおり、図６における一点鎖線で示した範囲Ｘの部分断面図である。ここで、ジョイント部材４６とパイプ部材５１、およびジョイント４６とパイプ部材４２は、それぞれ接着剤等で固着されている。一方、引掛部６とパイプ部材５１とは接着されておらず、引掛部６の基部６１内にパイプ部材４１を嵌挿しただけの状態であり、これによって、引掛部６は水平方向に回動自在としている。
【００２２】
以上のとおり、本発明に係るゴミ袋保持装置の一実施形態を説明したが、本発明は、必ずしもこの実施形態に限定されるものではない。本体部はパイプ部材以外のもので形成されてもよい。例えば、角型の枠材を用いるようにしてもよいし、上方に向け開口したボックス形状のものとしてもよく、その材料も金属、合成樹脂、木材等、任意の材料を適宜選択して使用可能である。
【００２３】
また、上記のように構成したゴミ袋保持装置を複数個縦あるいは横に連設して、ゴミの分別収集が可能なようにしてもよい。そのとき、「生ゴミ」「プラスチックゴミ」など分別の表示手段を備えるようにすることもできる。
【符号の説明】
【００２４】
１    ゴミ袋保持装置
２    本体部
３    下枠
４    上枠
５１  支柱（パイプ部材）
６    引掛部
Ｆ    ゴミ袋
【図１】
2010275070.tif 000003
【図２】
2010275070.tif 000004
【図３】
2010275070.tif 000005
【図４】
2010275070.tif 000006
【図５】
2010275070.tif 000007
【図６】
2010275070.tif 000008
【図７】
2010275070.tif 000009
【図８】
2010275070.tif 000010